(57)【要約】【課題】  ユーザに大きな負担とならずにデータの誤送信を防止することができるデータ送信方法、プログラムおよび装置、および画像処理装置を提供する。【解決手段】  ファクス番号を短縮番号とともに登録し、ファクス送信モードの際にファクス番号の入力を求める登録を行っておくことにより、ファクス送信モードの際に短縮番号を入力すると、ファクス番号の再入力画面が表示され（Ｓ２５）、ファクス番号を入力すると（Ｓ２６）、短縮登録されているファクス番号とファクス送信モードで入力されたファクス番号とが一致しているか否かが判断され、一致している場合は、ファクス送信処理がなされる。【選択図】      図８
2007036478.tif 000002
【特許請求の範囲】
【請求項１】
宛先情報をこの宛先情報よりも少ない語数の短縮情報とともに登録する登録ステップと、
前記短縮情報とこれに対応する宛先情報を入力して送信指示を行う送信指示ステップと、
前記送信指示ステップで入力された前記短縮情報に対応して登録されている前記宛先情報と前記送信指示ステップで入力された前記宛先情報とが一致したとき、その一致した前記宛先情報によって特定される宛先に送信データを送信する送信ステップとを含むことを特徴とするデータ送信方法。
【請求項２】
前記登録ステップは、送信指示の際に前記宛先情報について入力の要否を前記短縮情報毎に登録する入力登録ステップを含み、
前記送信指示ステップは、前記入力登録ステップで前記宛先情報の入力要が登録されているとき、前記宛先情報の入力を求めることを特徴とする請求項１に記載のデータ送信方法。
【請求項３】
前記送信ステップは、前記送信指示ステップで入力された前記短縮情報に対応して登録されている前記宛先情報と前記送信指示ステップで入力された前記宛先情報とが一致していないとき、その旨を表示し、複数のステップの選択を可能とする選択ステップとを含むことを特徴とする請求項１に記載のデータ送信方法。
【請求項４】
前記選択ステップは、宛先情報の再入力を受け付ける再入力ステップを含み、前記送信指示ステップで入力された前記短縮情報に対応して登録されている前記宛先情報と前記再入力ステップで入力された前記宛先情報とが一致したとき、その一致した前記宛先情報によって特定される宛先に送信データを送信することを特徴とする請求項３に記載のデータ送信方法。
【請求項５】
前記選択ステップは、宛先情報の再入力を求めるか、登録されている前記宛先情報で送信するか、前記送信指示ステップで入力した前記宛先情報で送信するか、前記送信指示ステップで入力した前記宛先情報で送信するとともに、登録されている前記宛先情報を前記送信指示ステップで入力した前記宛先情報に書き換えるかの選択枝のうち少なくとも２つの選択を可能とすることを特徴とする請求項３に記載のデータ送信方法。
【請求項６】
請求項１乃至５のいずれかに記載のデータ送信方法をコンピュータに実行させるためのデータ送信プログラム。
【請求項７】
宛先情報をこの宛先情報よりも少ない語数の短縮情報とともに短縮情報リストに登録する登録手段と、
前記短縮情報とこれに対応する宛先情報を入力して送信指示を行う送信指示手段と、
前記送信指示手段により入力された前記短縮情報に対応して登録されている前記宛先情報と前記送信指示手段により入力された前記宛先情報とが一致したとき、その一致した前記宛先情報によって特定される宛先に送信データを送信する送信手段とを備えたことを特徴とするデータ送信装置。
【請求項８】
複写機能およびファクシミリ送受信機能を有する画像処理装置において、
宛先情報をこの宛先情報よりも少ない語数の短縮情報とともに短縮情報リストに登録する登録手段と、
前記短縮情報とこれに対応する宛先情報を入力して送信指示を行う送信指示手段と、
前記送信指示手段により入力された前記短縮情報に対応して登録されている前記宛先情報と前記送信指示手段により入力された前記宛先情報とが一致したとき、その一致した前記宛先情報によって特定される宛先に送信データを送信する送信手段とを備えたことを特徴とする画像処理装置。
【発明の詳細な説明】
【技術分野】
【０００１】
本発明は、データ送信方法、プログラムおよび装置、およびファクシミリ装置，複合機等の画像処理装置に関する。
【背景技術】
【０００２】
近年、個人情報保護法の施行などにより、ファクシミリ装置等の画像処理装置には、誤送信による機密情報漏洩防止など、そのセキュリティ機能の強化が求められている。
【０００３】
このような事情に鑑み、誤送信防止を図ったファクシミリ装置が提案されている（例えば、特許文献１参照。）
【０００４】
このファクシミリ装置は、相手先情報の入力を１回受け付ける１回相手先指定ボタンと、相手先情報の入力を２回受け付ける２回相手先指定ボタンと、２回相手先指定ボタンが押下されたとき、相手先情報の入力を２回受け付け、それらが相互に一致した場合にのみ発呼動作を行う制御回路とを備えたものである。
【特許文献１】特開平７−１５４５６３号公報
【発明の開示】
【発明が解決しようとする課題】
【０００５】
しかし、従来のファクシミリ装置によると、２回相手先指定ボタンを押し忘れると、通常の送信と同じ動作、すなわち相手先情報の１回の入力によって送信データを送信することになるため、誤送信をしてしまうおそれがある。また、２回相手先指定ボタンの押し忘れが起きないように注意するのは煩わしい。
【０００６】
従って、本発明の目的は、ユーザに大きな負担とならずにデータの誤送信を防止することができるデータ送信方法、プログラムおよび装置、および画像処理装置を提供することにある。
【課題を解決するための手段】
【０００７】
本発明の一態様は、上記目的を達成するため、宛先情報をこの宛先情報よりも少ない語数の短縮情報とともに登録する登録ステップと、前記短縮情報とこれに対応する宛先情報を入力して送信指示を行う送信指示ステップと、前記送信指示ステップで入力された前記短縮情報に対応して登録されている前記宛先情報と前記送信指示ステップで入力された前記宛先情報とが一致したとき、その一致した前記宛先情報によって特定される宛先に送信データを送信する送信ステップとを含むことを特徴とするデータ送信方法を提供する。
【０００８】
上記データ送信方法によれば、送信指示の際に、短縮情報とともに宛先情報を入力させ、その宛先情報と短縮情報に対応して登録されている宛先情報とが一致したとき、送信データを送信することにより、誤った宛先に送信されるのを防ぐことができる。
【０００９】
宛先情報は、ファクス番号、電子メールアドレス等の宛先を特定するものをいい、数字、英文字、記号等で表される。短縮情報には、文字、記号、図形等が含まれる。送信データには、ファクシミリデータ，電子メールデータ等が含まれる。送信指示ステップにおいて、短縮情報と宛先情報の入力の順序は問わず、短縮情報を入力した後に宛先情報を入力してもよく、宛先情報を入力した後に短縮情報を入力してもよい。
【００１０】
前記登録ステップは、送信指示の際に前記宛先情報について入力の要否を前記短縮情報毎に登録する入力登録ステップを含み、前記送信指示ステップは、前記入力登録ステップで前記宛先情報の入力要が登録されているとき、前記宛先情報の入力を求める構成とすることができる。予め宛先情報の入力を登録しておくことで、送信指示の際に宛先情報の入力が求められ、宛先情報の正誤が判定されるので、送信指示の際のユーザの負担を軽減することができる。
【００１１】
前記送信ステップは、前記送信指示ステップで入力された前記短縮情報に対応して登録されている前記宛先情報と前記送信指示ステップで入力された前記宛先情報とが一致していないとき、その旨を表示し、複数のステップの選択を可能とする選択ステップとを含む構成とすることができる。これにより、様々な状況に応じた処理を選択することが可能となる。
【００１２】
前記選択ステップは、宛先情報の再入力を受け付ける再入力ステップを含み、前記送信指示ステップで入力された前記短縮情報に対応して登録されている前記宛先情報と前記再入力ステップで入力された前記宛先情報とが一致したとき、その一致した前記宛先情報によって特定される宛先に送信データを送信する構成とすることができる。送信指示の際に誤った宛先情報を入力しても次に正しい宛先情報を入力すれば、送信処理を行うことができる。
【００１３】
前記選択ステップは、宛先情報の再入力を求めるか、登録されている前記宛先情報で送信するか、前記送信指示ステップで入力した前記宛先情報で送信するか、前記送信指示ステップで入力した前記宛先情報で送信するとともに、登録されている前記宛先情報を前記送信指示ステップで入力した前記宛先情報に書き換えるかの選択枝のうち少なくとも２つの選択を可能とする構成とすることができる。
【００１４】
本発明の一態様は、上記目的を達成するため、上記データ送信方法をコンピュータに実行させるためのデータ送信プログラムを提供する。
【００１５】
上記データ送信プログラムによれば、ユーザの希望に対応させてステップの変更、追加、削除等を容易に行うことができる。
【００１６】
本発明の一態様は、上記目的を達成するため、宛先情報をこの宛先情報よりも少ない語数の短縮情報とともに短縮情報リストに登録する登録手段と、前記短縮情報とこれに対応する前記宛先情報を入力して送信指示を行う送信指示手段と、前記送信指示手段により入力された前記宛先情報と前記短縮情報に対応して登録されている前記宛先情報とが一致したとき、前記宛先情報によって特定される宛先に送信データを送信する送信手段とを備えたことを特徴とするデータ送信装置を提供する。
【００１７】
上記データ送信装置によれば、送信指示の際に、短縮情報とともに宛先情報を入力させ、その宛先情報と短縮情報に対応して登録されている宛先情報とが一致したとき、送信データを送信することにより、誤った宛先に送信されるのを防ぐことができる。
【００１８】
本発明の一態様は、上記目的を達成するため、複写機能およびファクシミリ送受信機能を有する画像処理装置において、宛先情報をこの宛先情報よりも少ない語数の短縮情報とともに短縮情報リストに登録する登録手段と、前記短縮情報とこれに対応する前記宛先情報を入力して送信指示を行う送信指示手段と、前記送信指示手段により入力された前記宛先情報と前記短縮情報に対応して登録されている前記宛先情報とが一致したとき、前記宛先情報によって特定される宛先に送信データを送信する送信手段とを備えたことを特徴とする画像処理装置を提供する。
【００１９】
上記画像処理装置によれば、送信指示の際に、短縮情報とともに宛先情報を入力させ、宛先情報と短縮情報に対応して登録されている宛先情報とが一致したとき、送信データを送信することにより、誤った宛先に送信されるのを防ぐことができる。また、送信原稿を複写するとともに、ファクシミリ送信することができる。
【発明の効果】
【００２０】
本発明によれば、ユーザに大きな負担とならずにデータの誤送信を防止することができる。
【発明を実施するための最良の形態】
【００２１】
［第１の実施の形態］
図１は、本発明の第１の実施の形態に係る複合機のブロック図である。この複合機１は、コピー機能、プリンタ機能、スキャン機能、ファクシミリ機能、電子メール機能等の複数の機能を有し、複合機１全体を制御するコントローラ２と、ユーザの操作によって各種の入力が可能な操作パネル３と、原稿から画像を読み取っる画像入力部４と、用紙に画像を印刷する画像出力部５とを備え、通信網１００を介してファクシミリ装置１０１およびパーソナルコンピュータ（ＰＣ）１０２が接続されている。なお、同図では、ファクシミリ装置１０１およびＰＣ１０２は、それぞれ１台図示されているが、台数は限定されない。
【００２２】
「コピー機能」とは、画像入力部（スキャナ）で読み取られた画像データを画像出力部によって用紙に印刷する機能をいい、「プリンタ機能」とは、ＰＣから送信された画像データを画像出力部によって用紙に印刷する機能をいい、「スキャン機能」とは、画像入力部で読み取られた画像データを指定されたＰＣ等の外部装置に転送する機能いい、「ファクシミリ機能」とは、画像データを電話回線等の通信網を介して送受信する機能をいい、「電子メール機能」とは、ＰＣ等の外部装置との間で画像データを電話回線等の通信網を介して送受信する機能をいう。
【００２３】
操作パネル３は、原稿の読み取り開始、あるいはファクス送信の開始を指示するスタートボタン、コピーやファクス送信動作を中止するストップボタン、テンキー等の複数のボタンの他、タッチパネルディスプレイ３０を備える。タッチパネルディスプレイ３０は、液晶ディスプレイ等の表示部と、この表示部の上に重合配置された入力部からなる。入力部は、表示部に表示された各項目の表示位置に対応する入力部の部分を押圧することによって入力操作が行えるようになっている。
【００２４】
画像入力部４は、原稿が１枚ずつ載置される原稿台と、原稿を自動的に１枚ずつ原稿台に供給するＡＤＦ（自動給紙装置）と、原稿台に載置された原稿、あるいはＡＤＦから供給された原稿から画像を光学的に読み取る画像読取部とを備えている。
【００２５】
画像出力部５は、画像を電子写真プロセス方式により用紙に印刷するものである。電子写真プロセスは、感光体に対する帯電，現像，クリーニングを繰り返すことにより実現される。なお、画像出力部５は、インクジェット方式、感熱転写方式等の他の方式を採用したものでもよい。
【００２６】
コントローラ２は、このコントローラ２および複合機１全体を制御するメインＣＰＵ２０を有し、このメインＣＰＵ２０に、バス２１を介して、パネルＩ／Ｆ２２、ページメモリ２３が接続された入力部Ｉ／Ｆ２４、出力部Ｉ／Ｆ２５、システムメモリ２６、圧縮・伸長部２７、短縮情報リスト記憶部２８、および通信部２９を接続して構成されている。
【００２７】
パネルＩ／Ｆ２２、入力部Ｉ／Ｆ２４および出力部Ｉ／Ｆ２５は、それぞれ操作パネル３、画像入力部４および画像出力部５との間で情報の送受信を行うものである。
【００２８】
ページメモリ２３は、画像入力部４によって読み取られた画像を入力部Ｉ／Ｆ２４を介してページ単位で記憶するものである。
【００２９】
システムメモリ２６には、後述する図５、図８のフローチャートに示すようなＣＰＵ２０の動作プログラムや、後述する図２〜図４、図６、図７に示すような画面等の各種のデータが記憶されている。
【００３０】
圧縮・伸長部２７は、ファクシミリデータを送信する際にデータを圧縮し、ファクシミリデータを受信した際にデータを伸長するものである。
【００３１】
短縮情報リスト記憶部２８には、ファクス番号、短縮情報としての短縮番号、宛先名等が登録される短縮情報リストが記憶されている。短縮情報リストに登録されている短縮番号を指定すれば、対応するファクス番号のファクシミリ装置へ画像データを送信することができる。
【００３２】
通信部２９は、通信網１００に接続され、相手のファクシミリ装置１０１との間でファクシミリの送受信が行えるように構成されている。また、ＰＣ１０２から複合機１が有する機能を通信網１００を介して利用できるようにも構成されている。例えば、ＰＣ１０２で作成した送信データを複合機１によりファクシミリや電子メールの送受信を行うことができる。
【００３３】
通信網１００には、電話回線、ＩＳＤＮ、インターネット、ＬＡＮ等が含まれ、有線、無線を問わない。
【００３４】
（第１の実施の形態の動作）
次に、第１の実施の形態の動作を図１〜図８を参照し説明する。図２〜図４は、短縮登録に関してタッチパネルディスプレイ３０に表示される画面を示し、図５は、短縮登録に関するフローチャートである。図６、図７は、ファクス送信動作に関してタッチパネルディスプレイ３０に表示される画面を示し、図８は、ファクス送信動作を示すフローチャートである。なお、以下の動作説明では、複合機１が有する複数の機能のうちファクシミリ機能の動作について説明する。また、特に記載がない場合は、メインＣＰＵ２０が行うものとする。
【００３５】
（１）短縮登録
図１〜図５を参照して短縮登録について説明する。まず、ユーザが、操作パネル３のタッチパネルディスプレイ３０に表示されているメニュー画面から短縮登録を選択すると（Ｓ１）、コントローラ２のメインＣＰＵ２０は、タッチパネルディスプレイ３０に短縮登録画面を表示する。
【００３６】
図２は、その短縮登録画面を示す。この短縮登録画面２００には、設定項目表示欄２０１、現在の設定値表示欄２０２、表示欄２０１，２０２をスクロール表示するスクロールボタン２０３、画面を戻す「閉じる」キー２０４、登録した設定値すべてを削除する「すべての登録内容を削除」キー２０５、および設定値を設定または変更する「設定/変更」キー２０６が表示される。同図の場合は、短縮番号「００１」の短縮登録画面２００を示す。なお、短縮番号は、スタート番号（例えば００１）から順次空いている短縮番号に自動的に設定する自動設定でも、ユーザが任意に選択して設定する手動設定でもよい。
【００３７】
設定項目表示欄２０１には、宛先（ファクス番号）、宛先名、送信時宛先の再入力、内線／外線、中継指示局登録等の設定項目が表示され、これらの設定項目についてテンキー等の操作によって設定値を登録できるようになっている。設定項目について設定値を登録すると、現在の設定値表示欄２０２に登録内容が表示される。なお、図２の短縮登録画面２００に示すように、宛先（ファクス番号）が未入力の場合、各設定項目の現在の設定値表示欄２０２には宛先未設定と表示され、宛先名等の各設定項目は選択できない。つまり、宛先（ファクス番号）が未入力の状態では、宛先名等の各設定項目は入力できないようになっている。宛先（ファクス番号）が入力されると、各設定項目のデフォルト値が現在の設定値表示欄２０２に表示され、各項目の設定を実施することができるようになる。宛先名は、短縮登録する宛先（ファクス番号）と関連付けられた名称であり、宛先指示時に相手先を見つけやすく、そして間違わないようにする為に設定するが、設定しなくても良い。ユーザは、ＦＡＸ宛先指示時に、登録したキーワードを入力することにより、該当短縮の絞込みを実施することができるようになる。内線/外線は、内線オプションが装着された場合のみ表示される項目である。宛先（ファクス番号）が入力されると、デフォルトで外線が設定/表示される。中継指示局登録は、中継局IDとして本短縮番号が指定された場合に、中継局として動作するか否かを設定する項目である。
【００３８】
ユーザが、図２の短縮登録画面２００に対し、「宛先（ファクス番号）」の設定項目を押下して選択すると（Ｓ２）、メインＣＰＵ２０は、タッチパネルディスプレイ３０に宛先入力画面を表示する（Ｓ３）。
【００３９】
図３は、その宛先入力画面を示す。この宛先入力画面３００には、メッセージ表示領域３０１、宛先番号入力領域３０２、入力した宛先番号を決定する「決定」ボタン３０３、および入力した宛先番号を取り消す「取り消し」ボタン３０４が表示される。メッセージ表示領域３１には、例えば、「宛先番号を入力してください。」のような操作案内のメッセージが表示される。
【００４０】
ユーザは、宛先入力画面３００に対し、テンキーを操作して宛先番号、すなわちファクス番号を入力し（Ｓ４）、「決定」ボタン３０３を押下する（Ｓ５）。入力したファクス番号は宛先番号入力領域３０２に表示される。ここでは、ファクス番号として「１２３４５６７８９０」が入力された場合を示す。
【００４１】
メインＣＰＵ２０は、１回目に入力されたファクス番号を図示しない不揮発性メモリ（ＮＶＭ）に書き込み（Ｓ６）、図２に示した短縮登録画面２００をタッチパネルディスプレイ３０に再び表示する（Ｓ７）。
【００４２】
ユーザは、短縮登録画面２００に対し、設定項目の「送信時宛先の再入力」を押下して選択すると（Ｓ８）、メインＣＰＵ２０は、タッチパネルディスプレイ３０に送信時再入力設定画面を表示する（Ｓ９）。
【００４３】
図４は、その送信時再入力設定画面を示す。この送信時再入力設定画面４００には、送信時に再入力を行う「する」キー４０１、送信時に再入力を行わない「しない」キー４０２、選択したキー４０１，４０２を決定する「決定」ボタン４０３、および選択したキー４０１，４０２を取り消す「取り消し」ボタン４０４が表示される。
【００４４】
ユーザは、送信時再入力設定画面４００に対し、「する」キー４０１を押下して選択し（Ｓ１０）、「決定」ボタン４０３を押下する（Ｓ１１）。メインＣＰＵ２０は、設定項目の送信時宛先の再入力の設定値として「する」を不揮発性メモリ（ＮＶＭ）に書き込む（Ｓ１２）。図２の短縮登録画面２００の現在の設定値表示欄２０２には、[送信時宛先の再入力」に対応して「する」が表示される。
【００４５】
（２）ファクス送信動作
次に、図１、図６〜図８を参照してファクス送信動作について説明する。まず、ユーザが、操作パネル３のタッチパネルディスプレイ３０に表示されているメニュー画面からファクス送信モードを選択し（Ｓ２１）、送信原稿を画像入力部４の原稿台又はＡＤＦにセットし、テンキーを操作して宛先を短縮番号で入力し（Ｓ２２）、「スタート」ボタンを押下すると（Ｓ２３）、コントローラ２のメインＣＰＵ２０は、画像入力部４に送信原稿から画像を読み取らせ、指示された短縮番号は、再入力「する」に設定されているか否かを不揮発性メモリ（ＮＶＭ）の記憶内容から判断する（Ｓ２４）。
【００４６】
「する」が設定されていれば（Ｓ２４：Ｙｅｓ）、タッチパネルディスプレイ３０に宛先再入力画面を表示する（Ｓ２５）。
【００４７】
図６は、その宛先再入力画面を示す。この宛先再入力画面６００には、メッセージ表示領域６０１、宛先番号入力領域６０２、送信を指示する「送信」ボタン６０３、および送信指示を取り消す「取り消し」ボタン６０４が表示される。メッセージ表示領域６０１には、「宛先番号を再入力してください。」のような操作案内のメッセージが表示される。
【００４８】
ユーザは、宛先再入力画面６００に対し、テンキーを操作してファクス番号を入力し（Ｓ２６）、「送信」ボタン６０３を押下する（Ｓ２７）。入力したファクス番号は宛先番号入力領域６０２に表示される。ここでは、ファクス番号として「１２３４５６７８９９」が入力されたとする。
【００４９】
メインＣＰＵ２０は、上記ステップＳ２２で入力された短縮番号に対応して短縮情報リストに登録されているファクス番号と、上記ステップＳ２６で入力されたファクス番号とを照合し、一致するか否かを判定する（Ｓ２８）。メインＣＰＵ２０は、登録済みファクス番号と現在入力されたファクス番号が一致していた場合は（Ｓ２８：Ｙｅｓ）、そのファクス番号に係るジョブを開始する（Ｓ２９）。すなわち、原稿画像をファクス番号によって特定されるファクシミリ装置１０１に通信網１００を介して送信する。
【００５０】
登録済みファクス番号と現在入力されたファクス番号が一致していない場合は（Ｓ２８：Ｎｏ）、異なる旨の表示画面を表示する（Ｓ３０）。
【００５１】
図７は、その異なる旨の表示画面を示す。この異なる旨の表示画面７００には、登録済みのファクス番号、すなわち１回目に入力されたファクス番号７０１、送信時に入力されたファクス番号、すなわち２回目に入力されたファクス番号７０２、「入力された番号が異なりました。」のように一致していない旨のメッセージ７０３、図６の宛先再入力画面を表示する「再入力」ボタン７０４、宛先再入力を閉じる「中止」ボタン７０５が表示される。同図は、１回目のファクス番号「０１２３４５６７８９０」に対して２回目のファクス番号が「０１２３４５６７８９９」であり、両者が異なっているために、異なっている旨のメッセージ７０３がなされた場合を示している。
【００５２】
ユーザが、図７の異なる旨の表示画面７００に対し、「再入力」ボタン７０４を押下した場合は、図６の宛先再入力画面６００が表示され、登録時と同じファクス番号が入力されると（Ｓ２６、Ｓ２７、Ｓ２８：Ｙｅｓ）、ジョブが開始される（Ｓ２９）。
【００５３】
ユーザが、図７の異なる旨の表示画面７００に対し、「中止」ボタン７０５を押下した場合は、宛先再入力画面６００を閉じ、宛先入力を行うファクス送信モード初期画面に戻る。
【００５４】
（第１の実施の形態の効果）
この第１の実施の形態によれば、以下の効果が得られる。
（イ）送信指示の際に、短縮番号とともに、ファクス番号を入力させることにより、誤った宛先に送信されるのを防ぐことができる。
（ロ）ファクス番号の再入力を予め設定しておくことで、送信指示の際に大きな注意を払わなくても誤送信を防止することができるので、ユーザの負担を軽減することができる。
【００５５】
［第２の実施の形態］
次に、本発明の第２の実施の形態に係る複合機を説明する。この第２の実施の形態は、第１の実施の形態において、短縮登録されているファクス番号と再入力されたファクス番号とが一致していないとき、宛先情報の再入力を求めるか、登録されているファクス番号で送信するか、ファクス送信モードのときに入力したファクス番号で送信するか、ファクス送信モードのときに入力したファクス番号で送信するとともに、短縮登録されているファクス番号をファクス送信モードのときに入力したファクス番号に書き換えるかの選択枝を有するものであり、他は第１の実施の形態と同様に構成されている。
【００５６】
（第２の実施の形態の動作）
図９は、タッチパネルディスプレイに表示される画面、図１０は、ファクス送信動作を示すフローチャートである。短縮登録の動作は、第１の実施の形態と同様であるので、その説明を省略する。ファクス送信動作は、第１の実施の形態と異なる点を主に説明する。
【００５７】
第１の実施の形態と同様に、ユーザが、ファクス送信モードを選択し（Ｓ２１）、送信原稿をセットし、宛先を短縮番号で入力し（Ｓ２２）、「スタート」ボタンを押下すると（Ｓ２３）、コントローラ２のメインＣＰＵ２０は、送信原稿から画像を読み取らせ、指示された短縮番号は、再入力「する」に設定されているか否かを不揮発性メモリ（ＮＶＭ）の記憶内容から判断する（Ｓ２４）。「する」が設定されていれば（Ｓ２４：Ｙｅｓ）、タッチパネルディスプレイ３０に宛先再入力画面６００を表示する（Ｓ２５）。ユーザは、宛先再入力画面６００に対し、ファクス番号を入力し（Ｓ２６）、「送信」ボタン６０３を押下する（Ｓ２７）。
【００５８】
メインＣＰＵ２０は、上記ステップＳ２２で入力された短縮番号に対応するファクス番号と、上記ステップＳ２６で入力されたファクス番号とを照合し、一致するか否かを判定する（Ｓ２８）。メインＣＰＵ２０は、登録済みファクス番号と現在入力されたファクス番号が一致していた場合は（Ｓ２８：Ｙｅｓ）、そのファクス番号に係るジョブを開始する（Ｓ２９）。
【００５９】
登録済みファクス番号と現在入力されたファクス番号が一致していない場合は（Ｓ２８：Ｎｏ）、一致していない場合は、異なる旨の表示画面を表示する（Ｓ３０）。
【００６０】
図９は、その異なる旨の表示画面を示す。この異なる旨の表示画面９００には、図７に示す第１の実施の形態と同様に、登録済みのファクス番号、すなわち１回目に入力されたファクス番号９０１、登録後に入力されたファクス番号、すなわち２回目に入力されたファクス番号９０２、「入力された番号が異なりました。」のように一致していない旨のメッセージ９０３、図６の宛先再入力画面を表示する「再入力」ボタン９０４、１回目の宛先情報（短縮登録されている宛先情報）から入力を開始するる「中止」ボタン９０５が表示される。
【００６１】
また、図９の異なる旨の表示画面９００には、さらに、１回目の宛先（短縮登録されている宛先）に送信する「１回目で送信」ボタン９０６、２回目の宛先（再入力した宛先）に送信する「２回目で送信」ボタン９０７、２回目の宛先（再入力した宛先）に送信するとともに短縮登録の内容を２回目の宛先で書き換える「２回目で送信かつ上書登録」ボタン９０８が表示される。なお、同図は、１回目のファクス番号「０１２３４５６７８９０」に対して２回目のファクス番号が「０１２３４５６７８９９」であり、両者が異なっているために、異なっている旨のメッセージ７０３がされた場合を示している。
【００６２】
ユーザは、異なる旨の表示画面９００に対し、「１回目で送信」ボタン９０６を押下して選択すると、短縮登録されているファクス番号により特定される宛先にデータを送信する（Ｓ２９）。
【００６３】
「再入力」ボタン９０４が押下されると、上記ステップＳ２５以降が実行される。「中止」ボタン９０５が押下されると、上記ステップＳ２２に戻る。
【００６４】
「２回目で送信」ボタン９０７が押下されると、上記ステップＳ２６で入力されたファクス番号により特定される宛先にデータを送信する（Ｓ２９）。
【００６５】
「２回目で送信かつ上書登録」ボタン９０８が押下されると、メインＣＰＵ２０は、上記ステップＳ２６で入力されたファクス番号で短縮情報リストを書き換える（Ｓ３２）。更に、２回目の宛先（再入力した宛先）に送信する(Ｓ２９)。
【００６６】
（第２の実施の形態の効果）
この第２の実施の形態によれば、以下の効果が得られる。
（イ）第１の実施の形態と同様に、送信指示の際に、短縮番号とともに、ファクス番号を入力させることにより、誤った宛先に送信されるのを防ぐことができる。
（ロ）第１の実施の形態と同様に、ファクス番号の再入力を予め設定しておくことで、送信指示の際に大きな注意を払わなくても誤送信を防止することができるので、ユーザの負担を軽減することができる。
（ハ）送信実行時に入力した短縮番号が誤りで、宛先情報が正しい場合に、新たに宛先情報を入力し直さなくても、送信指示を行うことができる。
（ニ）短縮登録時に宛先情報を誤って登録した場合でも、宛先情報の書換えと送信指示を一つのボタン操作で行うことができる。
【００６７】
なお、本発明は、上記実施の形態に限定されず、その発明の趣旨を逸脱しない範囲内で種々な変形が可能である。例えば、上記実施の形態では、本発明を複合機に適用した場合について説明したが、ファクシミリ専用装置やＰＣ等にも適用することができる。
【００６８】
また、上記実施の形態では、ファクス送信の場合について説明したが、本発明は電子メールを送信する場合にも同様に適用することができる。
【００６９】
また、本発明は、複数の宛先に同時に送信する同報送信を行う場合にも適用することができる。この場合、複数の短縮情報を入力した後、複数の宛先情報を入力し、全てが一致した場合にのみ同報送信を行うようにしてもよい。
【図面の簡単な説明】
【００７０】
【図１】本発明の第１の実施の形態に係る宛先登録装置が適用された複合機のブロック図である。
【図２】第１の実施の形態に係る短縮登録画面を示す図である。
【図３】第１の実施の形態に係る宛先入力画面を示す図である。
【図４】第１の実施の形態に係る送信時再入力設定画面を示す図である。
【図５】第１の実施の形態に係る複合機の短縮登録に関するフローチャートである。
【図６】第１の実施の形態に係る宛先再入力画面を示す図である。
【図７】第１の実施の形態に係る異なる旨の表示画面を示す図である。
【図８】第１の実施の形態に係るファクス送信動作を示すフローチャートである。
【図９】本発明の第２の実施の形態に係る異なる旨の表示画面を示す図である。
【図１０】本発明の第２の実施の形態に係る複合機のファクス送信動作を示すフローチャートである。
【符号の説明】
【００７１】
１  複合機
２  コントローラ
３  操作パネル
４  画像入力部
５  画像出力部
２０  メインＣＰＵ
２１  バス
２２  パネルＩ／Ｆ
２３  ページメモリ
２４  入力部Ｉ／Ｆ
２５  出力部Ｉ／Ｆ
２６  システムメモリ
２７  圧縮・伸長部
２８  短縮情報リスト記憶部
２９  通信部
３０  タッチパネルディスプレイ
１００  通信網
１０１  ファクシミリ装置
１０２  ＰＣ
２００  短縮登録画面
２０１  設定項目表示欄
２０２  現在の設定値表示欄
２０３  スクロールボタン
２０４  「閉じる」キー
２０５  「すべての登録内容を削除」キー
２０６  「設定/変更」キー
３００  宛先入力画面
３０１  メッセージ表示領域
３０２  宛先番号入力領域
３０３  「決定」ボタン
３０４  「取り消し」ボタン
４００  送信時再入力設定画面
４０１  「する」キー
４０２  「しない」キー
４０３  「決定」ボタン
４０４  「取り消し」ボタン
６００  宛先再入力画面
６０１  メッセージ表示領域
６０２  宛先番号入力領域
６０３  「送信」ボタン
６０４  「中止」ボタン
７００  異なる旨の表示画面
７０１  １回目入力ファクス番号
７０２  ２回目入力ファクス番号
７０３  メッセージ
７０４  「再入力」キー
７０５  「中止」キー
９００  異なる旨の表示画面
９０１  １回目入力ファクス番号
９０２  ２回目入力ファクス番号
９０３  メッセージ
９０４  「再入力」キー
９０５  「中止」キー
９０６  「１回目で送信」ボタン
９０７  「２回目で送信」ボタン
９０８  「２回目で送信かつ上書登録」ボタン
【図１】
2007036478.tif 000003
【図２】
2007036478.tif 000004
【図３】
2007036478.tif 000005
【図４】
2007036478.tif 000006
【図５】
2007036478.tif 000007
【図６】
2007036478.tif 000008
【図７】
2007036478.tif 000009
【図８】
2007036478.tif 000010
【図９】
2007036478.tif 000011
【図１０】
2007036478.tif 000012